(57)【要約】【課題】部品コストを抑制することができる天井埋込型空気調和装置を提供することにある。【解決手段】熱交換器１１、送風機９および熱交換器の下面を覆うドレンパン１３を収納した箱形の空気調和機本体１と、この空気調和機本体１の下面に取り付けられた化粧パネル２１とを備えた天井埋込型空気調和装置である。前記ドレンパン１３と化粧パネル２１との間に配置された電装箱１９を備え、この電装箱１９が、空気調和機本体１の一辺に沿って固定された補強部材１５Ａ、１５Ｂとドレンパンに固定されたインサート金具３３との間に固定されている。【選択図】図３
2006153452.tif 000002
【特許請求の範囲】
【請求項１】
熱交換器、送風機および熱交換器の下面を覆うドレンパンを収納した箱形の空気調和機本体と、この空気調和機本体の下面に取り付けられた化粧パネルとを備えた天井埋込型空気調和装置において、
前記ドレンパンと化粧パネルとの間に配置された電装箱を備え、この電装箱が、空気調和機本体の一辺に沿って固定された補強部材とドレンパンに固定されたインサート金具との間に固定されていることを特徴とする天井埋込型空気調和装置。
【請求項２】
前記ドレンパンには中央に吸込開口が略円形に形成されると共に、前記空気調和機本体の一辺に沿って吹出開口が形成され、
前記インサート金具は、
前記吸込開口と前記吹出開口との間であって、前記空気調和機本体の一辺を略均等に３分割する２点のそれぞれに設けられている
ことを特徴とする請求項１に記載の天井埋込型空気調和装置。
【請求項３】
前記補強部材には前記吹出開口側に向けて凹む凹部が設けられ、当該凹部に前記電装箱が延在するように配置されて固定されている
ことを特徴とする請求項２に記載の天井埋込型空気調和装置。
【発明の詳細な説明】
【技術分野】
【０００１】
本発明は、天井埋込型空気調和装置の構造に関する。
【背景技術】
【０００２】
一般に、熱交換器、送風機、ドレンポンプおよび熱交換器の下面を覆うドレンパンを収納した箱形の空気調和機本体と、この空気調和機本体の下面に取り付けられた化粧パネルとを備えた天井埋込型空気調和装置が知られている。
【０００３】
この種のものでは、空気調和機本体の一辺から他辺に掛け渡されて、下方からドレンパンを支持する補強部材を備えている。
【発明の開示】
【発明が解決しようとする課題】
【０００４】
ところで、従来、ドレンパンと化粧パネルとの間に配置された電装箱が備えられ、この電装箱は、両端に取付金具を備え、２本の補強部材に挟まれるように補強部材に固定されていた。このため、補強部材に連結する取付金具を電装箱の両端に備えなければならず、部品コストが増大するという問題がある。
【０００５】
そこで、本発明の目的は、部品コストを抑制することができる天井埋込型空気調和装置を提供することにある。
【課題を解決するための手段】
【０００６】
上記目的を達成するために、本発明は、熱交換器、送風機および熱交換器の下面を覆うドレンパンを収納した箱形の空気調和機本体と、この空気調和機本体の下面に取り付けられた化粧パネルとを備えた天井埋込型空気調和装置において、前記ドレンパンと化粧パネルとの間に配置された電装箱を備え、この電装箱が、空気調和機本体の一辺に沿って固定された補強部材とドレンパンに固定されたインサート金具との間に固定されていることを特徴とする。
【０００７】
また、本発明は、上記発明において、前記ドレンパンには中央に吸込開口が略円形に形成されると共に、前記空気調和機本体の一辺に沿って吹出開口が形成され、前記インサート金具は、前記吸込開口と前記吹出開口との間であって、前記空気調和機本体の一辺を略均等に３分割する２点のそれぞれに設けられていることを特徴とする。
【０００８】
また、本発明は、上記発明において、前記補強部材には前記吹出開口側に向けて凹む凹部が設けられ、当該凹部に前記電装箱が延在するように配置されて固定されていることを特徴とする。
【発明の効果】
【０００９】
本発明によれば、電装箱が、空気調和機本体の一辺に沿って固定された補強部材とドレンパンに固定されたインサート金具との間に固定されているので、電装箱の両端に取付金具を設けて補強部材に固定する場合と比較して部品コストを抑制することができる。
【発明を実施するための最良の形態】
【００１０】
以下、本発明の一実施の形態を、添付図面を参照して説明する。
図１は、本発明の天井埋込型空気調和装置の一実施の形態の断面図である。図１に示すように、この天井埋込型空気調和装置は、板金製の空気調和機本体１を有し、吊りボルト２で天井からつり下げられている。
【００１１】
この空気調和機本体１は、図２の下方に示すように、略四角形の箱形に形成されている。図２中では空気調和機本体１の上方が開口し、天井に埋め込まれた場合、この開口側が被調和室に対向する。
この空気調和機本体１の内側には、発泡スチロール製の断熱体３が、空気調和機本体１の側板１Ａの内面に略接した状態で配置されている。この断熱体３の高さＨ１は、空気調和機本体１の高さＨ２から、後述するドレンパン１３の高さＨ３を減じた程度の高さに設定されている。
【００１２】
空気調和機本体１の天板１Ｂには、モータ５が固定され、このモータ５のシャフトには羽根車７が取り付けられている。これらが送風機９を構成している。この送風機９を取り囲むように、略四角形状に曲げられた熱交換器１１が、上記発泡スチロール製の断熱体３の内側に配置されている。また、この断熱体３の内側には、後述するドレンパン１３に溜まるドレンを外部に排出するドレンポンプ１２が配置されている。
【００１３】
熱交換器１１の下面１１Ａを覆うように、発泡スチロール製のドレンパン１３が配置され、このドレンパン１３は、高さＨ３を備え、その外周１３Ａが空気調和機本体１の側板１Ａの内面に略接した状態で配置されている。
このドレンパン１３には、補強部材１５Ａ、１５Ｂ、送風機９のノズル１７、電装箱１９等の各種部品がねじ止めされている。
そして、空気調和機本体１の下面には、図１に示すように、化粧パネル２１が取り付けられ、この化粧パネル２１には、吸込口２２と吹出口２３とが形成され、吸込口２２にはフィルタ２５が装着されている。
ドレンパン１３には、化粧パネル２１の吸込口２２及び吹出口２３と対応する位置に吸込開口１３０及び吹出開口１３１が設けられている。吸込開口１３０は、図２に示すように、略矩形に形成されたドレンパン１３の中央に平面視略円形に形成されている。また、吹出開口１３１は、ドレンパン１３の４辺のそれぞれに沿って形成されている。
【００１４】
さらに、空気調和機本体１の側板１Ａの外側には、図２に示すように４個の吊り金具２７Ａ〜２７Ｄが連結され、この吊り金具２７Ａ〜２７Ｄに、前記補強部材１５Ａ、１５Ｂが図３に示すように、ねじ止めされ、この補強部材１５Ａとドレンパン１３とに前記電装箱１９がねじ止めされている。
【００１５】
図３において、１１Ｂは熱交換器１１に接続された冷媒配管を示しており、１０Ａは、ドレンポンプに接続されたドレン配管を示している。
この実施の形態では、上述した補強部材１５Ａ、１５Ｂが、熱交換器１１に接続された冷媒配管１１Ｂおよびドレン配管１２Ａを導出する方向に対して直交する方向に掛け渡されている。
この補強部材１５Ａ、１５Ｂは、空気調和機本体１同様に板金製の部材で構成され、図４に示すように、長さＬ１、高さＴ１、幅Ｗ１を備え、補強部材１５Ａの端部には、吊り金具接続部１５ａ、１５ｂを有しており、補強部材１５Ｂの端部には、吊り金具接続部１５ｃ、１５ｄを有している。これら吊り金具接続部１５ａ〜１５ｄは補強部材１５Ａ、１５Ｂの端部が折り曲げられて形成され、この折り曲げられた端部の略中央にねじ孔２８を備え、このねじ孔２８にねじ３０を貫通させて、図３に示すように、空気調和機本体１の側板１Ａの外側に連結された吊り金具２７Ａ〜２７Ｄにねじ止めされる。
【００１６】
また、この補強部材１５Ａの内側には、上記吹出開口１３１側に向けて凹む凹部１５０が形成され、この凹部１５０には、図４に示すように、電装箱１９の長辺側１９Ａで電装箱１９を固定する電装箱固定部１６Ａ、１６Ｂを備え、この電装箱固定部１６Ａ、１６Ｂには略中央にねじ孔３２ａが備えられている。
同様に電装箱１９にも、図３に示すように、長辺側１９Ａに補強部材接続部１９Ｂ、１９Ｃを備え、この補強部材接続部１９Ｂ、１９Ｃには略中央にねじ孔３２ｂが備えられている。
これらねじ孔３２ｂとねじ孔３２ａとを重ね合わせ、ねじ３４を貫通させて、ねじ止めし、電装箱１９が凹部１５０に延在するように当該電装箱１９の長辺側１９Ａを補強部材１５Ａの凹部１５０に位置させて固定している。
さらに、図４に示すように、ドレンパン１３には、補強部材１５Ａ、１５Ｂがはまり込む溝Ｄ１、Ｄ２が形成されている。この溝Ｄ１、Ｄ２の深さは、補強部材１５Ａ、１５Ｂの高さＴ１と略同一である。
【００１７】
また、このドレンパン１３には、電装箱１９を固定するインサート金具３３が装着されている。インサート金具３３は、この実施の形態では、板金製であり、２箇所に設けられており、発泡スチロール製のドレンパン１３に埋め込まれて、一体的に形成されている。
【００１８】
２つのインサート金具３３は、図３に示すように、ドレンパン１３の上記吸込開口１３０と、上記補強部材１５Ａが配設される側の吹出開口１３１Ａとの間に設けられている。具体的には、インサート金具３３は、ドレンパン１３の４辺のうち、冷媒配管１１Ｂおよびドレン配管１２Ａを導出する方向に対して直交する方向に延びる辺（補強部材１５Ａに沿った辺）の長さＷ３を略均等に３分割する２つの点Ｐ１、Ｐ２に設けられている。これにより、吸込開口１３０と吹出開口１３１とが最も近接する箇所を外れた位置、すなわち、吸込開口１３０の中心からドレンパン１３の一辺までを最短に結ぶ直線上から離れた位置に２つのインサート金具３３のそれぞれが設けられる。この結果、吸込開口１３０と吹出開口１３１との間が最も狭くなる箇所を避け、比較的広い箇所に２つのインサート金具３３のそれぞれが設けられるため、インサート金具３３の取り付け強度がより高められることとなる。
【００１９】
これらのインサート金具３３の略中央には、ねじ止め用のねじ孔３８ａが設けられている。また、電装箱１９では、電装箱１９の両方の短辺側にインサート金具接続部３６が設けられ、このインサート金具接続部３６の略中央には、ねじ止め用のねじ孔３８ｂが設けられている。これらねじ孔３８ｂからねじ孔３８ａにねじ４０を貫通させて、ねじ止めし、電装箱１９をドレンパン１３に固定させている。
【００２０】
この実施の形態では、空気調和機本体１の能力が増大した場合、冷媒配管１１Ｂとドレン配管１２Ａとの取り回しのために冷媒配管１１Ｂとドレン配管１２Ａとの設置幅Ｗ２を一定に保ったまま、図５に示すように熱交換器１１に接続された冷媒配管１１Ｂ及びドレン配管１２Ａを導出する方向に長さＬ２から長さＬ３に大型化させている。
【００２１】
尚、図３に示すドレンパン１３の空気調和機本体１の能力は２．８ｋＷ〜９ｋＷであり、図５に示すドレンパン１３の空気調和機本体１の能力は１１．２ｋＷ〜１６ｋＷである。
【００２２】
本実施形態では、空気調和機本体１の能力が増大した場合、図５に示すように熱交換器１１に接続された冷媒配管１１Ｂ及びドレン配管１２Ａを導出する方向に長さＬ２から長さＬ３に大型化させる一方、補強部材１５Ａ、１５Ｂは、この導出方向とは無関係に、上記導出方向に直交する方向に掛け渡されているので、空気調和機本体１の大小にかかわらず、補強部材１５Ａ、１５Ｂを共通化することができる。従って、従来のように補強部材１５Ａ、１５Ｂを複数種用意する必要がなく、部品コストを抑制することができる本実施形態では、電装箱１９が、空気調和機本体１の一辺に沿って固定された補強部材１５Ａとドレンパン１３に固定されたインサート金具３３との間に固定されている。従来、この種の電装箱１９は、補強部材１５Ａ、１５Ｂ間に掛け渡されていたが、インサート金具３３を使用して固定する方式としたため、補強部材１５Ａ、１５Ｂ間に掛け渡さずに、これを任意の位置に取り付けることができる。また、補強部材１５Ａ、１５Ｂ間に掛け渡されていた場合、電装箱１９の両端に取付金具を設ける必要があったが、本実施形態では、インサート金具３３を使用して固定する方式としたため、取付金具が不要になり、その分だけ、部品コストを抑制することができる等の効果を奏する。
【００２３】
このように本実施形態によれば、補強部材が、冷媒配管およびドレン配管を導出する方向に対して直交する方向に掛け渡されているので、例えば、空気調和機本体が冷媒配管およびドレン配管を導出する方向に大型化しても、補強部材を共通使用することができる。このため、空気調和機本体の大きさに合わせ補強部材を複数種用意する必要がなく、部品コストを抑制することができる。
また、電装箱が、空気調和機本体の一辺に沿って固定された補強部材とドレンパンに固定されたインサート金具との間に固定されているので、電装箱に取付金具を設けて補強部材に固定する場合と比較して部品コストを抑制することができる。
【図面の簡単な説明】
【００２４】
【図１】本発明の空気調和装置の一実施の形態を示す断面図である。
【図２】図１に示す空気調和装置の分解斜視図である。
【図３】ドレンパンと補強部材との平面図である。
【図４】ドレンパンと補強部材との斜視図である。
【図５】能力が増大したときのドレンパンと補強部材との斜視図である。
【符号の説明】
【００２５】
１  空気調和機本体
９  送風機
１１  熱交換器
１１Ｂ  冷媒配管
１２Ａ  ドレン配管
１３  ドレンパン
１５Ａ、１５Ｂ  補強部材
１９  電装箱
２１  化粧パネル
３３  インサート金具
【図１】
2006153452.tif 000003
【図２】
2006153452.tif 000004
【図３】
2006153452.tif 000005
【図４】
2006153452.tif 000006
【図５】
2006153452.tif 000007